(57)【要約】【課題】植栽用の空間があるにもかかわらず前後方向の大きさが特に大きくならない擁壁用ブロックとする。【解決手段】前面壁２の背面に控え部材３を突設してなる擁壁用ブロック１において、控え部材３の前面壁２に連接する基部を横方向に広くし、この基部に少なくとも上方を開放した控え部空間６を設け、また、前面壁の上端部に上記控え部空間の上端部に連通する切り欠き８を設けた構成にした。【選択図】図１
2006241731.tif 000002
【特許請求の範囲】
【請求項１】
前面壁の背面に控え部材を突設してなる擁壁用ブロックにおいて、控え部材の前面壁に連接する基部を横方向に広くし、この基部に少なくとも上方を開放した控え部空間を設け、また、前面壁の上端部に上記控え部空間の上端部に連通する切り欠きを設けたことを特徴とする擁壁用ブロック。
【請求項２】
控え部空間を有底のポット状にすると共に、底部に水抜き穴を設けたことを特徴とする請求項１記載の擁壁用ブロック。
【請求項３】
控え部空間を上下方向に抜ける形状にしたことを特徴とする請求項１記載の擁壁用ブロック。
【請求項４】
控え部空間に連通する穴を前面壁に設けたことを特徴とする請求項１から３のいずれか１項に記載の擁壁用ブロック。
【発明の詳細な説明】
【技術分野】
【０００１】
本発明は、道路、河川等の法面に積み上げて擁壁面を構成し、内部に植栽土を充填してこれに植生し、壁面を植生化して環境を保護するようにした擁壁用ブロックに関するものである。
【背景技術】
【０００２】
従来のこの種の擁壁用ブロックの場合、前面壁部を前側へ突出する突出部を設け、この突出部の内側に空間を上方を開放したポット状にして設け、この前面壁の背面に控え部を突設した構成になっている（例えば、特許文献１参照）。
【０００３】
【特許文献１】実公平７−７３８１号公報
【発明の開示】
【発明が解決しようとする課題】
【０００４】
このような擁壁用ブロックの場合、前面壁が前後方向に大きくなる関係から、控え部も前後方向に大きくなって全体として前後方向に大きくなり、従って擁壁の断面も前後（厚さ）方向に大きくなってしまい不経済であった。
【０００５】
本発明は上記のことに鑑みなされたもので、植栽用の空間を有するにもかかわらず前後方向の大きさを特に大きくなることがないようにした擁壁用ブロックを提供することを目的とするものである。
【課題を解決するための手段】
【０００６】
上記目的を達成するために、本発明に係る擁壁用ブロックは、前面壁の背面に控え部材を突設してなる擁壁用ブロックにおいて、控え部材の前面壁に連接する基部を横方向に広くし、この基部に少なくとも上方を開放した控え部空間を設け、また、前面壁の上端部に上記控え部空間の上端部に連通する切り欠きを設けた構成になっている。
【０００７】
そしてこの擁壁用ブロックにおいて、控え部空間を有底のポット状にすると共に、底部に水抜き穴を設け、あるいは控え部空間を上下方向に抜ける形状にした。そして、さらに、控え部空間に連通する穴を前面壁に設けた構成にした。
【発明の効果】
【０００８】
本発明によれば、前面壁とこれの背面に控え部材を突設してなる擁壁用ブロックにおいて、これの控え部材に前面壁より前方へ連通する控え部空間を設けたことにより、この控え部空間が控え部材の一部として構成することができる。
【０００９】
従って上記控え部空間を植栽用の空間として用いることにより、植栽用の空間を有するにもかかわらず、前後方向の大きさを特に大きくなることがなく、この種の擁壁用ブロックを前後（厚さ）方向に小さくすることができる。
【００１０】
また、この控え部空間を水棲生物の生息空間としても利用することができる。
【発明を実施するための最良の形態】
【００１１】
図１は本発明に係る擁壁用ブロック（この説明において、以下単にブロックと略称する）１を示す平面図、図２はその正面図、図３は側面図である。ブロック１は正面形状が横長の矩形状になっている前面壁２と、この前面壁２の背面で、かつ横方向で両側端から１／４の位置に控え部材３，３が突設されている。そしてこの前面壁２及び控え部材３，３にて構成されるブロック１の側面形状は、上面と下面は平行になっていると共に、側面形状で上側が後退する方向に傾斜されている。
【００１２】
控え部材３のそれぞれの後端部は、両控え部材間において所定の寸法の間隔空間４が設けられると共に、両控え部材３，３のそれぞれの外側には、上記間隔空間４の１／２の側方空間５，５が形成される幅になっている。また、この各控え部材３，３の前面壁２との連接部である基部はテーパ状に広くなっており、この控え部材３，３の基部には控え部空間６が設けてある。
【００１３】
この控え部空間６は、その一例として有底の上側をテーパ状に大きくしたポット状になっていて、これの底部に水抜き穴７が設けてある。また、この控え部空間６の上端部の前側は前面壁２の上端に設けた切り欠き８にて前方へ連通されている。なお、この控え部空間６の平面形状は図８に示すように、控え部材３の基部の外側形状に沿う台形状になっている。なお、この形状は三角形、半円形等のいずれでもよい。
【００１４】
各控え部材３，３の上面には突起９が設けてあり、これに対向する控え部材３の下面には、突起９の後側面に当接する斜面１０ａを有する切り欠き溝１０が横方向に設けてある。
【００１５】
上記構成におけるブロック１は図９に示すように、基礎１１の上に、側面を突き合わせて千鳥状に積み上げる。このとき、各ブロック１が１／２ずつずれて積み上げられるが、控え部材３が両側から横方向の幅の１／４の位置に設けられていることにより、各ブロック１の控え部材３は図９に示すように上下方向に連らなる。同様に各控え部材３間の間隔空間４及び側方空間５も上下方向に連らなる。
【００１６】
しかして上記各ブロック１の積み上げにおいて、１段ごとに各ブロック１の控え部空間６に植栽用の土を、また練積みの場合には間隔空間４及び側方空間５にコンクリート（モルタル）を充填していく。このとき、各ブロック１の上側のブロック１は下側のブロック１の突起９の後側の面に切り欠き溝１０の斜面１０ａが当接することにより前側への移動が係止される。
【００１７】
なお上記のようにしてブロック１を千鳥状に積み上げた場合、１段ごとに側端において１／２の長さの空間ができるので、この空間には１／２の長さに形成したブロックを充足する。
【００１８】
上記実施の形態では、控え部材３を２本設けた側を示したが、これは２本に限るものではなく、１本、３本、４本等任意である。ただし、千鳥状に積み上げるためには２本、４本等偶数の数にする必要がある。
【００１９】
上記の実施の形態におけるブロック１にあっては、各ブロック１の控え部空間６に充填した植栽用の土に植生が着生し、前面壁２に設けた切り欠き８より擁壁の前面に繁茂する。そして各控え部空間６内での余剰水は水抜き穴７より下方へ導水される。
【００２０】
この構成において、練積みの場合は間隔空間４及び側方空間５、すなわち、各控え部材間の空間内にコンクリートが充填されて極めて強固に擁壁が構成される。
【００２１】
なお、各控え部材間にコンクリートに代えて土砂や瓦礫等を充填して空積みしてもよい。また、いも積みにしてもよい。
【００２２】
上記した実施の形態では、控え部空間６を有底のポット状に形成した側を示したが、これは上下方向に抜ける形状にしてもよい。この場合、ブロック１を積み上げた状態でこの控え部空間６は上下方向にストレート状に連通し、この中に充填した植栽用の土は下側へ沈下するので、積み上げ時に十分充填すると共に、沈下によって上側に空間が生じたときには、随時補給する。
【００２３】
また、このブロック１を河川等で水中に積み上げる場合には、控え部空間６には砂利を入れてこの空間を水棲生物の生息空間としてもよい。この場合前面壁２に控え部空間６に連通する穴１２を設けてもよい。
【図面の簡単な説明】
【００２４】
【図１】本発明に係る擁壁用ブロックを示す平面図である。
【図２】本発明に係る擁壁用ブロックを示す正面図である。
【図３】本発明に係る擁壁用ブロックを示す側面図である。
【図４】本発明に係る擁壁用ブロックを示す背面図である。
【図５】本発明に係る擁壁用ブロックを示す底面図である。
【図６】図１のＡ−Ａ矢視断面図である。
【図７】図１のＢ−Ｂ矢視断面図である。
【図８】図３のＣ−Ｃ矢視図である。
【図９】本発明の施工状態を示す断面図である。
【符号の説明】
【００２５】
１…擁壁用ブロック
２…前面壁
３…控え部材
４…間隔空間
５…側方空間
６…控え部空間
７…水抜き穴
８…切り欠き
９…突起
１０…切り欠き溝
１１…基礎
１２…穴
【図１】
2006241731.tif 000003
【図２】
2006241731.tif 000004
【図３】
2006241731.tif 000005
【図４】
2006241731.tif 000006
【図５】
2006241731.tif 000007
【図６】
2006241731.tif 000008
【図７】
2006241731.tif 000009
【図８】
2006241731.tif 000010
【図９】
2006241731.tif 000011